【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
矯正的光学特性を有するポリマー体を有する人工角膜であって、光学体の表面の少なくとも一部は、照射されると角膜組織の内因性角膜部分と架橋結合する、天然生体分子、または天然生体分子の誘導体を示す、人工角膜。
【請求項２】
前記人工角膜は、オンレーまたはインプラントである、請求項１に記載の人工角膜。
【請求項３】
前記人工角膜本体は、コラーゲン、ポリウレタン、ポリ（２−ヒドロキシルエチルメタクリレート）、ポリビニルピロリドン、ポリグリセロメタクリレート、ポリビニルアルコール、ポリエチレングリコール、ポリメタクリル酸、シリコーン、ポリフルオロカーボン、Ｎ−イソプロピルアクリルアミド、１−エチル−３，３’（ジメチル−アミノプロピル）カルボジイミド、Ｎ−ヒドロキシルスクシンイミドおよびホスホコリンを持つポリマー、ポリシロキサン、ペルフルオロアルキルポリエーテル、フッ素化ポリ（メタ）アクリレート、または例えば他の重合性カルボン酸から派生した同等のフッ素化ポリマー、ポリアルキル（メタ）アクリレート、または他の重合性カルボン酸から派生した同等のアルキルエステルポリマー、ポリオレフィン、またはフッ化ポリビニリデン、フッ素化エチレンプロピレン、あるいはテトラフルオロエチレン等のフッ素化ポリオレフィン、好ましくはペルフルオロ−２，２−ジメチル−１，３−ジオキソール、ポリヒドロキシエチルメタクリレート（ＨＥＭＡ）、ポリビニルピロリドン（ＰＶＰ）、ポリアクリル酸、ポリメタクリル酸、ポリアクリルアミド、ポリ−Ｎ，Ｎ−ジメチルアクリルアミド（ＤＭＡ）、ポリビニルアルコール、例えば、ヒドロキシルエチルアクリレート、ヒドロキシエチルメタクリレート、Ｎ−ビニルピロリドン、アクリル酸、メタクリル酸、アクリルアミド、Ｎ，Ｎ−ジメチルアクリルアミド、ビニルアルコール、ビニルアセテート等の群からの２つ以上のモノマーからの共重合体等の特定ジオキソールとの組み合わせ、ポリアルキレングリコール、ポリプロピレングリコールまたはポリエチレン／ポリプロプレングリコールブロック共重合体等のポリエチレングリコールから成る群より選択される、１つ以上の化合物で少なくとも部分的に構成される、請求項１または２に記載の人工角膜。
【請求項４】
前記天然生体分子は、コラーゲン、フィブロネクチン、ラミニン、カリニン、Ｋ−ラミニン、ビトロネクチン、タリン、インテグリン、アルブミン、インスリン様成長因子、線維芽細胞成長因子、肝細胞成長因子、上皮成長因子、トランスフォーミング成長因子−α、トランスフォーミング成長因子−β、ケラチノサイト成長因子、ヘパリン結合因子、線維芽細胞成長因子、神経成長因子、サブスタンスＰ、インターロイキン−１α、インターロイキン−１β、ＦＡＰ、ＹＩＧＳＲ、ＳＩＹＩＴＲＦ、ＰＨＳＲＮ、ＩＡＦＱＲＮ、およびＬＱＶＱＬＳＩＲ、およびジアゾピルバミドから成る群より選択される、請求項１〜３のいずれか一項に記載の人工角膜。
【請求項５】
前側の少なくとも一部は、人工角膜の表面上の組織の成長を促進する組織成長促進剤を示す、請求項１〜４のいずれか一項に記載の人工角膜。
【請求項６】
生体適合性着色添加剤で着色される、請求項１〜５のいずれか一項に記載の人工角膜。
【請求項７】
１，４−ビス［（２−ヒドロキシ−エチル）アミノ］−９，１０−アントラセンジオンビス（２−プロペン酸）エステル共重合体、１，４−ビス［（２−メチルフェニル）アミノ］−９，１０−アントラセンジオン、１，４−ビス［４−（２−メタクリルオキシエチル）フェニルアミノ］アントラキノン共重合体、カルバゾールバイオレット、クロム−コバルト−アルミニウムオキシド、クロムオキシドグリーン（Ｃ．Ｉ．Ｖａｔ  ｏｒａｎｇｅ，２−［（２，５−ジエトキシ−４−［（４−メチルフェニル）チオール］フェニル）アゾ］−１，３，５−ベンゼントリオール、Ｃ．Ｉ．Ｖａｔ  ｂｌｏｗｎ１：１６，２３−ジヒドロジナフト［２，３−ａ：２’，３’−ｉ］ナフト［２’，３’：６，７］インドロ［２，３−ｃ］カルバゾール−５，１０，１５，１７，２２，２４−ヘキソン、Ｃ．Ｉ．Ｖａｔ  ｙｅｌｌｏｗ３：Ｎ，Ｎ’−（９，１０−ジヒドロ−９，１０−ジオキソ−１，５−アントラセンジイル）ビスベンズアミド、Ｃ．Ｉ．Ｖａｔ  ｂｌｕｅ６：７，１６−ジクロロ−６，１５−ジヒドロ−５，９，１４，１８−アントラジンテトロン、Ｃ．Ｉ．Ｖａｔ  ｇｒｅｅｎ１：１６，１７−ジメトキシジナフト（１，２，３−ｃｄ：３’，２’，１’−ｌｍ）ペリレン−５，１０−ジオン、ポリ（ヒドロキシエチルメタクリレート）−染色共重合体より選択される、１つ以上の着色添加剤を含有し、Ｃ．Ｉ．Ｒｅａｃｔｉｖｅ  ｂｌａｃｋ５、Ｃ．Ｉ．Ｒｅａｃｔｉｖｅ  ｂｌｕｅ２１、Ｃ．Ｉ．Ｒｅａｃｔｉｖｅ  ｏｒａｎｇｅ７８、Ｃ．Ｉ．Ｒｅａｃｔｉｖｅ  ｙｅｌｌｏｗ１５、Ｃ．Ｉ．Ｒｅａｃｔｉｖｅ  ｂｌｕｅ１９、Ｃ．Ｉ．Ｒｅａｃｔｉｖｅ  ｂｌｕｅ４、Ｃ．Ｉ．Ｒｅａｃｔｉｖｅ  ｒｅｄ１１、Ｃ．Ｉ．Ｒｅａｃｔｉｖｅ  ｙｅｌｌｏｗ８６、Ｃ．Ｉ．Ｒｅａｃｔｉｖｅ  ｂｌｕｅ１６３、Ｃ．Ｉ．Ｒｅａｃｔｉｖｅ  ｒｅｄ１８０；Ｃ．Ｉ．Ｓｏｌｖｅｎｔ  ｙｅｌｌｏｗ１８：４−［（２，４−ジメチルフェニル）アゾ］−２，４−ジヒドロ−５−メチル−２−フェニル−３Ｈ−ピラゾール−３−オン、Ｃ．Ｉ．Ｖａｔ  ｏｒａｎｇｅ５：６−エトキシ−２−（６−エトキシ−３−オキソベンゾ（ｂ）チエン−２（３Ｈ）−イリデン）ベンゾ（ｂ）チオフェン−３（２Ｈ）−オン、フタロシアニングリーン、酸化鉄、二酸化チタン、ビニルアルコール／メチルメタクリレート−染色反応生成物  Ｃ．Ｉ．Ｒｅａｃｔｉｖｅ  ｒｅｄ１８０、Ｃ．Ｉ．Ｒｅａｃｔｉｖｅ  ｂｌａｃｋ５、Ｃ．Ｉ．Ｒｅａｃｔｉｖｅ  ｏｒａｎｇｅ７８、Ｃ．Ｉ．Ｒｅａｃｔｉｖｅ  ｙｅｌｌｏｗ１５、Ｃ．Ｉ．Ｒｅａｃｔｉｖｅ  ｂｌｕｅ１９、Ｃ．Ｉ．Ｒｅａｃｔｉｖｅ  ｂｌｕｅ２１）、雲母ベース真珠光沢顔料、（フタロシアニナト（２−））銅、Ｄ＆Ｃ  ｇｒｅｅｎ６号、Ｄ＆Ｃ  ｒｅｄ１７号、Ｄ＆Ｃ  ｖｉｏｌｅｔ２号、およびＤ＆Ｃ  ｙｅｌｌｏｗ１０号のうちの１つ以上を含む、請求項６に記載の人工角膜。
【請求項８】
−１．０から−４．０ジオプターの間の有効屈折を上部角膜に与える、曲率および／または屈折率を有する上領域と、０から−１．０ジオプターの間の有効屈折を下部角膜に与える、曲率および／または屈折率を有する下領域と、を含有する、請求項１〜７のいずれか一項に記載の人工角膜。
【請求項９】
前記人工角膜の上面および下面の屈折力の間である徐々に変化する屈折を有する、人工角膜の上部と下部との間に推移帯を含有する、請求項７に記載の人工角膜。
【請求項１０】
人工角膜を角膜に結合するためのシステムであって、
電磁（ＥＭ）エネルギー源と、
エネルギーを前記ＥＭ源から前記角膜および人工角膜へ向けるように適合されるハンドピースと、
を備える、システム。
【手続補正２】
【補正対象書類名】明細書
【補正対象項目名】００１５
【補正方法】変更
【補正の内容】
【００１５】
本発明の別の側面において、人工角膜は、矯正的光学特性を有する重合体を含む。光学体の前表面の少なくとも一部は、上述のように、紫外線または他の選択された放射線に曝露されると、角膜組織の内因性角膜部分と共役結合する、天然生体分子を示す。人工角膜は、典型的にはオンレーまたはインプラントであり、人工角膜本体は、典型的には、コラーゲン、ポリウレタン、ポリ（２−ヒドロキシルエチルメタクリレート）、ポリビニルピロリドン、ポリグリセロメタクリレート、ポリビニルアルコール、ポリエチレングリコール、ポリメタクリレート、シリコーン、ポリフルオロカーボン、Ｎ−イソプロピルアクリルアミド、１−エチル−３，３’（ジメチル−アミノプロピル）カルボジイミド、Ｎ−ヒドロキシルスクシンイミド、およびホスホコリンを持つポリマーから成る群より選択される１つ以上の化合物を、少なくとも部分的に含有する。
本発明は、例えば以下の項目を提供する。
（項目１）
人工角膜を角膜上に固定するための方法であって、
前記人工角膜を角膜組織と接触して位置付けるステップであって、前記人工角膜の表面の少なくとも一部は、天然架橋結合生体分子を示す、ステップと、
前記天然架橋結合生体分子を前記角膜組織の内因性部分と架橋結合するように選択された条件下で、前記人工角膜にエネルギーを照射するステップと、
を含む、方法。
（項目２）
前記人工角膜は、オンレーまたはインプラントを備える、項目１に記載の方法。
（項目３）
前記人工角膜は、コラーゲン、ポリウレタン、ポリ（２−ヒドロキシルエチルメタクリレート）、ポリビニルピロリドン、ポリグリセロールメタクリルレート、ポリビニルアルコール、ポリエチレングリコール、ポリメタクリル酸、シリコーン、ポリペルフルオロカーボン、Ｎ−イソプロピルアクリルアミド、１−エチル−３，３’（ジメチル−アミノプロピル）カルボジイミド、Ｎ−ヒドロキシルスクシンイミドおよびホスホコリンを持つポリマー、ポリシロキサン、ペルフルオロアルキルポリエーテル、フッ素化ポリ（メタ）アクリレートまたは例えば他の重合性カルボン酸から派生した同等のフッ素化ポリマー、ポリアルキル（メタ）アクリレートまたは他の重合性カルボン酸から派生した同等のアルキルエステルポリマー、ポリオレフィン、またはフッ化ポリビニリデン、フッ素化エチレンプロピレン、あるいはテトラフルオロエチレン等のフッ素化ポリオレフィン、好ましくはペルフルオロ−２，２−ジメチル−１，３−ジオキソール、ポリヒドロキシエチルメタクリレート（ＨＥＭＡ）、ポリビニルピロリドン（ＰＶＰ）、ポリアクリル酸、ポリメタクリル酸、ポリアクリルアミド、ポリ−Ｎ，Ｎ−ジメチルアクリルアミド（ＤＭＡ）、ポリビニルアルコール、例えば、ヒドロキシルエチルアクリレート、ヒドロキシエチルメタクリレート、Ｎ−ビニルピロリドン、アクリル酸、メタクリル酸、アクリルアミド、Ｎ，Ｎ−ジメチルアクリルアミド、ビニルアルコール、酢酸ビニル等の群より選択される２つ以上のモノマーから成る共重合体等の特定ジオキソールとの組み合わせ、ポリエチレングリコール、ポリプロピレングリコールまたはポリエチレン／ポリプロピレングリコールブロック共重合体等のポリアルキレングリコールから成る群より選択される、１つ以上の化合物で少なくとも部分的に構成される、人工角膜本体を備える、項目１に記載の方法。
（項目４）
前記天然架橋結合生体分子は、コラーゲン、フィブロネクチン、ラミニン、カリニン、Ｋ−ラミニン、ビトロネクチン、タリン、インテグリン、アルブミン、インスリン様成長因子、線維芽細胞成長因子、肝細胞成長因子、上皮成長因子、トランスフォーミング成長因子−α、トランスフォーミング成長因子−β、ケラチノサイト成長因子、ヘパリン結合因子、線維芽細胞成長因子、神経成長因子、サブスタンスＰ、インターロイキン−１α、インターロイキン−１β、ＦＡＰ、ＹＩＧＳＲ、ＳＩＹＩＴＲＦ、ＰＨＳＲＮ、ＩＡＦＱＲＮ、およびＬＱＶＱＬＳＩＲ、１，８ナフタルイミド、ジアゾピルベート、およびジアゾピルバミドから成る群より選択される、項目１に記載の方法。
（項目５）
照射するステップは、前記人工角膜を紫外線放射または可視光に曝露するステップを含む、項目１に記載の方法。
（項目６）
前記放射するステップは、非毒性触媒の存在下で行われて架橋結合を促進する、項目１に記載の方法。
（項目７）
前記非毒性触媒は、リボフラビン、ローズベンガル、またはグルコースである、項目６に記載の方法。
（項目８）
前側の少なくとも一部は、前記人工角膜の表面上の組織の成長を促進する組織成長促進剤を示す、項目１に記載の方法。
（項目９）
矯正的光学特性を有するポリマー体を有する人工角膜を備え、前記光学体の表面の少なくとも一部は、照射されると角膜組織の内因性角膜部分と架橋結合する、天然生体分子、または天然生体分子の誘導体を示す、人工角膜。
（項目１０）
前記人工角膜は、オンレーまたはインプラントである、項目９に記載の人工角膜。
（項目１１）
前記人工角膜本体は、コラーゲン、ポリウレタン、ポリ（２−ヒドロキシルエチルメタクリレート）、ポリビニルピロリドン、ポリグリセロメタクリレート、ポリビニルアルコール、ポリエチレングリコール、ポリメタクリル酸、シリコーン、ポリフルオロカーボン、Ｎ−イソプロピルアクリルアミド、１−エチル−３，３’（ジメチル−アミノプロピル）カルボジイミド、Ｎ−ヒドロキシルスクシンイミドおよびホスホコリンを持つポリマー、ポリシロキサン、ペルフルオロアルキルポリエーテル、フッ素化ポリ（メタ）アクリレート、または例えば他の重合性カルボン酸から派生した同等のフッ素化ポリマー、ポリアルキル（メタ）アクリレート、または他の重合性カルボン酸から派生した同等のアルキルエステルポリマー、ポリオレフィン、またはフッ化ポリビニリデン、フッ素化エチレンプロピレン、あるいはテトラフルオロエチレン等のフッ素化ポリオレフィン、好ましくはペルフルオロ−２，２−ジメチル−１，３−ジオキソール、ポリヒドロキシエチルメタクリレート（ＨＥＭＡ）、ポリビニルピロリドン（ＰＶＰ）、ポリアクリル酸、ポリメタクリル酸、ポリアクリルアミド、ポリ−Ｎ，Ｎ−ジメチルアクリルアミド（ＤＭＡ）、ポリビニルアルコール、例えば、ヒドロキシルエチルアクリレート、ヒドロキシエチルメタクリレート、Ｎ−ビニルピロリドン、アクリル酸、メタクリル酸、アクリルアミド、Ｎ，Ｎ−ジメチルアクリルアミド、ビニルアルコール、ビニルアセテート等の群より選択される２つ以上のモノマーから成る共重合体等の特定ジオキソールとの組み合わせ、ポリアルキレングリコール、ポリプロピレングリコールまたはポリエチレン／ポリプロプレングリコールブロック共重合体等のポリエチレングリコールから成る群より選択される、１つ以上の化合物で少なくとも部分的に構成される、項目９に記載の人工角膜。
（項目１２）
前記天然生体分子は、コラーゲン、フィブロネクチン、ラミニン、カリニン、Ｋ−ラミニン、ビトロネクチン、タリン、インテグリン、アルブミン、インスリン様成長因子、線維芽細胞成長因子、肝細胞成長因子、上皮成長因子、トランスフォーミング成長因子−α、トランスフォーミング成長因子−β、ケラチノサイト成長因子、ヘパリン結合因子、線維芽細胞成長因子、神経成長因子、サブスタンスＰ、インターロイキン−１α、インターロイキン−１β、ＦＡＰ、ＹＩＧＳＲ、ＳＩＹＩＴＲＦ、ＰＨＳＲＮ、ＩＡＦＱＲＮ、およびＬＱＶＱＬＳＩＲ、およびジアゾピルバミドから成る群より選択される、項目９に記載の人工角膜。
（項目１３）
前側の少なくとも一部は、人工角膜の表面上の組織の成長を促進する組織成長促進剤を示す、項目９に記載の人工角膜。
（項目１４）
生体適合性着色添加剤で着色される、項目９に記載の人工角膜。
（項目１５）
１，４−ビス［（２−ヒドロキシ−エチル）アミノ］−９，１０−アントラセンジオンビス（２−プロペン）エステル共重合体、１，４−ビス［（２−メチルフェニル）アミノ］−９，１０−アントラセンジオン、１，４−ビス［４−（２−メタクリルオキシエチル）フェニルアミノ］アントラキノン共重合体、カルバゾールバイオレット、クロム−コバルト−アルミニウムオキシド、クロムオキシドグリーン（Ｃ．Ｉ．Ｖａｔ  ｏｒａｎｇｅ，２−［（２，５−ジエトキシ−４−［（４−メチルフェニル）チオール］フェニル）アゾ］−１，３，５−ベンゼントリオール、Ｃ．Ｉ．Ｖａｔ  ｂｌｏｗｎ１：１６，２３−ジヒドロジナフト［２，３−ａ：２’，３’−ｉ］ナフト［２’，３’：６，７］インドロ［２，３−ｃ］カルバゾール−５，１０，１５，１７，２２，２４−ヘキソン、Ｃ．Ｉ．Ｖａｔ  ｙｅｌｌｏｗ３：Ｎ，Ｎ’−（９，１０−ジヒドロ−９，１０−ジオキソ−１，５−アントラセンジイル）ビスベンズアミド、Ｃ．Ｉ．Ｖａｔ  ｂｌｕｅ６：７，１６−ジクロロ−６，１５−ジヒドロ−５，９，１４，１８−アントラジンテトロン、Ｃ．Ｉ．Ｖａｔ  ｇｒｅｅｎ１：１６，１７−ジメトキシジナフト（１，２，３−ｃｄ：３’，２’，１’−ｌｍ）ペリレン−５，１０−ジオン、ポリ（ヒドロキシエチルメタクリレート）−染色共重合体より選択される、１つ以上の着色添加剤を含有し、Ｃ．Ｉ．Ｒｅａｃｔｉｖｅ  ｂｌａｃｋ５、Ｃ．Ｉ．Ｒｅａｃｔｉｖｅ  ｂｌｕｅ２１、Ｃ．Ｉ．Ｒｅａｃｔｉｖｅ  ｏｒａｎｇｅ７８、Ｃ．Ｉ．Ｒｅａｃｔｉｖｅ  ｙｅｌｌｏｗ１５、Ｃ．Ｉ．Ｒｅａｃｔｉｖｅ  ｂｌｕｅ１９、Ｃ．Ｉ．Ｒｅａｃｔｉｖｅ  ｂｌｕｅ４、Ｃ．Ｉ．Ｒｅａｃｔｉｖｅ  ｒｅｄ１１、Ｃ．Ｉ．Ｒｅａｃｔｉｖｅ  ｙｅｌｌｏｗ８６、Ｃ．Ｉ．Ｒｅａｃｔｉｖｅ  ｂｌｕｅ１６３、Ｃ．Ｉ．Ｒｅａｃｔｉｖｅ  ｒｅｄ１８０；Ｃ．Ｉ．Ｓｏｌｖｅｎｔ  ｙｅｌｌｏｗ１８：４−［（２，４−ジメチルフェニル）アゾ］−２，４−ジヒドロ−５−メチル−２−フェニル−３Ｈ−ピラゾール−３−オン、Ｃ．Ｉ．Ｖａｔ  ｏｒａｎｇｅ５：６−エトキシ−２−（６−エトキシ−３−オキソベンゾ（ｂ）チエン−２（３Ｈ）−イリデン）ベンゾ（ｂ）チオフェン−３（２Ｈ）−オン、フタロシアニングリーン、酸化鉄、二酸化チタン、ビニルアルコール／メチルメタクリレート−染色反応生成物  Ｃ．Ｉ．Ｒｅａｃｔｉｖｅ  ｒｅｄ１８０、Ｃ．Ｉ．Ｒｅａｃｔｉｖｅ  ｂｌａｃｋ５、Ｃ．Ｉ．Ｒｅａｃｔｉｖｅ  ｏｒａｎｇｅ７８、Ｃ．Ｉ．Ｒｅａｃｔｉｖｅ  ｙｅｌｌｏｗ１５、Ｃ．Ｉ．Ｒｅａｃｔｉｖｅ  ｂｌｕｅ１９、Ｃ．Ｉ．Ｒｅａｃｔｉｖｅ  ｂｌｕｅ２１）、雲母ベース真珠光沢顔料、（フタロシアニナト（２−））銅、Ｄ＆Ｃ  ｇｒｅｅｎ６号、Ｄ＆Ｃ  ｒｅｄ１７号、Ｄ＆Ｃ  ｖｉｏｌｅｔ２号、およびＤ＆Ｃ
ｙｅｌｌｏｗ１０号のうちの１つ以上を含む、項目１４に記載の人工角膜。
（項目１６）
−１．０から−４．０ジオプターの間の有効屈折を前記上部角膜に与える、曲率および／または屈折率を有する上領域と、０から−１．０ジオプターの間の有効屈折を前記下部角膜に与える、曲率および／または屈折率を有する下領域と、を含有する、項目９に記載の人工角膜。
（項目１７）
前記人工角膜の上面および下面の屈折力の間である徐々に変化する屈折を有する、人工角膜の上部と下部との間に推移帯を含有する、項目１５に記載の人工角膜。
（項目１８）
人工角膜を角膜に結合するためのシステムであって、
電磁（ＥＭ）エネルギー源と、
エネルギーを前記ＥＭ源から前記角膜および人工角膜へ向けるように構成されるハンドピースと、
を備える、システム。
（項目１９）
前記ハンドピースは、前記角膜または前記人工角膜の少なくとも一部に適合するように成形されるエネルギーアプリケータ表面を有する、項目１８に記載のシステム。
（項目２０）
前記エネルギーアプリケータ表面は、前記角膜または人工角膜の曲線に適合するように湾曲する、項目１９に記載のシステム。
（項目２１）
前記エネルギーアプリケータ表面は、１ｍｍから１４ｍｍの範囲の最大幅を有する、項目１９に記載のシステム。
（項目２２）
前記最大幅は、４ｍｍから１２ｍｍの範囲内である、項目１９に記載のシステム。
（項目２３）
前記ＥＭエネルギー源は、紫外線放射または可視光を放出する、項目１８に記載のシステム。
（項目２４）
前記エネルギーは、ハンドル中の光ファイバーによって伝送される、項目１８に記載のシステム。
（項目２５）
前記成長促進剤は、アルブミン、細胞外マトリクス（ＥＣＭ）、フィブロネクチン、ラミニン、コンドロイシン硫酸塩、コラーゲン、細胞付着タンパク質、抗ゼラチン因子、寒冷不溶性グロブリン、コンドロネクチン、上皮成長因子、イガイ接着タンパク質、シアロタンパク質、トロンボスポンジン、ビトロネクチン、プロテオグリカン、コラーゲン、カリニン、Ｋ−ラミニン、ビトロネクチン、タリン、インテグリン、アルブミン、インスリン様成長因子、線維芽細胞成長因子、肝細胞成長因子、上皮成長因子、トランスフォーミング成長因子−α、トランスフォーミング成長因子−β、ケラチノサイト成長因子、ヘパリン結合因子、線維芽細胞成長因子、神経成長因子、サブスタンスＰ、インターロイキン−１α、インターロイキン−１β、ＦＡＰ、ＹＩＧＳＲ、ＳＩＹＩＴＲＦ、ＰＨＳＲＮ、ＩＡＦＱＲＮ、およびＬＱＶＱＬＳＩＲ細胞−付着タンパク質、上皮成長因子、および／または上記の誘導体、またはそれらの混合物より選択される、項目８に記載の方法。